(57)【要約】【課題】  画像や画像を含む情報の作成日時や更新日時などの時間的特徴を視覚的に瞬時に把握できる画像表示が可能な情報表示装置を提供する。【解決手段】  元画像の画素単位の色彩情報を取得する元画像色彩情報取得手段１１と、画像または画像を含む情報の時間に関する値を取得する画像時間値取得手段１２と、画像色彩情報と画像時間値とから画像の画素単位の色彩情報を決定する画像色彩情報決定手段１３と、決定した画像色彩情報を用いて画像表示手段１５が表示時に参照する表示画像の画素単位の色彩情報を置換する表示画像色彩情報置換手段１４とを備え、画像時間値に従い、画像の画素単位の色彩情報のうちＲＧＢ値の少なくとも１つを変化させて表示する情報表示装置。  人間が写真，絵画，印刷物などの退色度合いで時間経過を判断するのと同様に、表示された画像の色彩から画像の時間的特徴をある程度の精度で瞬時に把握できる。【選択図】        図１
2006134056.tif 000002
【特許請求の範囲】
【請求項１】
元画像の画素単位の元画像色彩情報を取得する元画像色彩情報取得手段と、前記画像または前記画像を含む情報の時間に関する画像時間値を取得する画像時間値取得手段と、前記元画像色彩情報と前記画像時間値から画像の画素単位の画像色彩情報を決定する画像色彩情報決定手段と、決定した画像色彩情報を用いて画像表示手段が表示時に参照する画像の画素単位の色彩情報を置換する表示画像色彩情報置換手段とを備え、画像時間値に従い画像の画素単位の色彩情報のうちＲＧＢ値の少なくとも１つを変化させて画面に表示する情報表示装置。
【請求項２】
請求項１に記載の情報表示装置において、
前記画像時間値が、前記画像または前記画像を含む情報の作成，更新，アクセス，または表示に関する日時と予め決定された基準日時との時間差の値であることを特徴とする情報表示装置。
【請求項３】
請求項１または２に記載の情報表示装置において、
前記画像色彩情報決定手段が、時間値に対してＲ＞Ｇ＞Ｂとなるように各画素のＲＧＢ値を変化させセピア化する演算手段を含むことを特徴とする情報表示装置。
【請求項４】
請求項１または２に記載の情報表示装置において、
前記画像色彩情報決定手段が、同じ初期値に対するＲＧＢ値の増加率は同じとし各画素のＲＧＢ値を変化させ画像の色彩を薄色化する演算手段を含むことを特徴とする情報表示装置。
【請求項５】
請求項３または４に記載の情報表示装置において、
前記演算手段が、ＲＧＢ値をそれぞれ所定の増加率で増加させることを特徴とする情報表示装置。
【請求項６】
請求項３または４に記載の情報表示装置において、
前記演算手段が、処理前の初期値の大きさに従いＲＧＢ値の増加率を変えて増加させることを特徴とする情報表示装置。
【発明の詳細な説明】
【技術分野】
【０００１】
本発明は、画像または画像を含む情報を画面に表示する情報表示装置に係り、特に、画像または画像を含む情報の時間的特徴を人間の色に関する経験的な感覚で視認させる情報表示方法に関する。
【背景技術】
【０００２】
従来、画像の作成日時や更新日時などの時間的特徴を画面に表示する方法としては、画像とは別に文字列として表示する方法がある。複数の画像または画像を含む情報を一覧表示する場合には、画像をサムネイルなどで縮小表示し、時間的特徴を示す値で整列させると、整列順序から時間的特徴を推測したり比較したりできる。
【０００３】
これに対して、入力情報の検索や結果の表示に色彩を活用し、入力情報間の差分や系列的変化を利用者に視覚的かつ客観的に理解させる方法が提案されている。この方法では、時系列入力情報を比較し、その比較結果に付与する色調を変化させて表示すると、利用者が変化の推移を把握できるとしている(例えば、特許文献１参照)。
【０００４】
また、電子ファイリングシステムのファイル検索結果の表示時に、ファイルの古さに応じて背景色を変化させる方法が提案されている(例えば、特許文献２参照)。
【０００５】
さらに、アイコンが指示しているオブジェクトの実体の状態または属性に従い、アイコンの色属性を変化させ表示する方法が提案されている。その一例として、アイコンが指示しているファイルの生成年月日に従い、アイコンの色の濃度や色調を変える方法が挙げられている(例えば、特許文献３参照)。
【０００６】
レストランなどにおける注文情報の表示システムには、注文された商品を示すタッチパネルの色を青，黄，ピンク，赤などの色で変化させ注文からの時間経過を示し、オーダーの優先順位を把握しやすくする実例もある。
【０００７】
【特許文献１】特開２００１−１７５６６８号公報(第４〜６頁  図１〜図７)
【特許文献２】特開平５−２０４９７９号公報(第２〜３頁  図１〜図３)
【特許文献３】特開平８−１１５１９９号公報(第３〜５頁  図１〜図６)
【発明の開示】
【発明が解決しようとする課題】
【０００８】
上記特許文献１の方法では、画面に表示された画像または画像を含む情報の作成日時や更新日時などの時間的特徴を把握するには、画像とは別に文字列として表示された時間的特徴を示す値を目視するか、画像の整列順により推測するしかない。
【０００９】
また、複数の画像または画像を含む情報を画面に表示した場合、文字列を目視し、画像群の時間的特徴を視覚的に瞬時に比較しグルーピングすることは困難である。
【００１０】
時間的特徴を示す値により画像を整列した場合は、画像間の時間的特徴に関する順序の比較はできても、時間的特徴の絶対的な推測はできない。
【００１１】
特許文献２のように、情報の検索結果の表示内容やファイルを指示するアイコンの色彩を変化させ、それらの時間に関する値を把握しやすくする方法は提案されている。しかし、画像の色彩を変化させて画像または画像を含む情報の時間的特徴を視認しやすくする方法は提案されていない。
【００１２】
特許文献３のように、画像および画像を含む情報の時間的特徴を把握するために変化させる色彩がその方法固有のものである場合、利用者は各色彩が時間的特徴のどのような状態を示すのかを各方法について覚えておかなくてはならない。
【００１３】
このように、画像または画像を含む情報の時間的特徴をある程度の精度で瞬時に把握したい場合、より具体的には、詳細情報を確認せず画像を見るだけで、例えば一覧表示された画像または画像を含む情報の中から１〜２年前に作成されたものを選択したい場合、利用できる時間的特徴の視覚的表示方法はこれまでに提案されていない。
【００１４】
本発明の課題は、画像や画像を含む情報の作成日時や更新日時などの時間的特徴を視覚的に瞬時に把握できる画像表示方法を提供することである。
【課題を解決するための手段】
【００１５】
本発明は、上記課題を解決するために、元画像の画素単位の元画像色彩情報を取得する元画像色彩情報取得手段と、前記画像または前記画像を含む情報の時間に関する画像時間値を取得する画像時間値取得手段と、前記元画像色彩情報と前記画像時間値から画像の画素単位の画像色彩情報を決定する画像色彩情報決定手段と、決定した画像色彩情報を用いて画像表示手段が表示時に参照する画像の画素単位の色彩情報を置換する表示画像色彩情報置換手段とを備え、画像時間値に従い画像の画素単位の色彩情報のうちＲＧＢ値の少なくとも１つを変化させて画面に表示する情報表示装置を提案する。
【発明の効果】
【００１６】
本発明によれば、画像の画面での表示に対して、画像そのものの色彩情報をその画像または画像を含む情報の作成日時や更新日時などの時間的特徴に応じて変化させるので、画像を見る利用者が画像の時間的特徴を瞬時に視認できる。この色彩情報の変化として、写真，絵画，印刷物などの時間経過による色彩情報の退色をイメージさせる方法を用いると、画像の時間的特徴のうちで特に古さや新しさに関する情報を人間の経験に基づき認識できる。
【００１７】
複数の画像を表示する時に、同じ色彩情報の変化を適用するので、画像間および画像を含む情報間の時間的特徴を瞬時に視認し、比較やグルーピングをある程度の精度で迅速に実行できる。
【００１８】
画像の色彩情報を画素単位で変化させれば、画素を単位として画像を表示する任意の方法において、表示する画像の決定から表示開始までの間に本発明を適用できる。例えば、画像表示ソフトウェアなどにおいて、複数の画像をサムネイル表示し、作成日時から現在時刻まで経過した時間に従い、それらの画像の色彩情報を変化させると、表示したい特定時期の画像を瞬時に選択できる。
【００１９】
また、画像を含む医科学情報や文献情報の情報検索システムにおいて、検索結果である情報を画像とともに表示し、前回表示日時から現在時刻まで経過した時間に従い、それらの画像の色彩情報を変化させると、最近閲覧した情報やしばらく閲覧していない情報を瞬時に判断できる。
【００２０】
さらに、料理や他の商品の注文システムにおいて、商品の画像を表示し、表示開始日時や処理開始日時から現在時刻までの経過時間に従い、それら画像の色彩情報を変化させると、注文を受けてからの処理待ち時間を瞬時に判断し、処理優先度を決定できる。
【発明を実施するための最良の形態】
【００２１】
次に、図１〜図１２を参照しながら、本発明による情報表示装置の実施形態を説明する。
【００２２】
図１は、本発明による情報表示装置の原理的構成を示すブロック図である。
【００２３】
本発明の情報表示装置は、元画像の画素単位の色彩情報を取得する元画像色彩情報取得手段１１と、画像または画像を含む情報の時間に関する値を取得する画像時間値取得手段１２と、画像色彩情報と画像時間値とから画像の画素単位の色彩情報を決定する画像色彩情報決定手段１３と、決定した画像色彩情報を用いて画像表示手段１５が表示時に参照する表示画像の画素単位の色彩情報を置換する表示画像色彩情報置換手段１４とを備え、画像時間値に従い、画像の画素単位の色彩情報のうちＲＧＢ値の少なくとも１つを段階的に変化させて表示する。
【００２４】
元画像色彩情報取得手段１１は、元画像の画素単位の色彩情報である元画像色彩情報を取得する手段であり、取得する情報には少なくとも画素の位置情報および色彩情報を含んでおり、画像の識別情報を含むこともできる。元画像色彩情報取得手段１１で取得した情報は、画像色彩情報決定手段１３に受け渡される。
【００２５】
元画像色彩情報取得手段１１は、取得した元画像色彩情報を記憶する記憶装置を備えることができる。取得した情報を記憶装置から画像色彩情報決定手段１３が読み出せば、情報取得と利用時間とをずらすことが可能となり、情報を再利用し高速化することもできる。
【００２６】
画像時間値取得手段１２は、画像または画像を含む情報の時間に関する値である画像時間値を取得する手段である。取得する情報には、画像時間値を取得した画像の識別情報を含むこともできる。取得した情報は、画像色彩情報決定手段１３に受け渡される。
【００２７】
画像時間値取得手段１２は、取得した画像時間値と現在日時や利用者が予め決定した基準日時との時間差の値を計算し、その計算値を新たな画像時間値とすることもできる。
【００２８】
画像時間値取得手段１２は、取得した画像時間値を記憶する記憶装置を備えることができる。取得した情報を記憶装置から画像色彩情報決定手段１３が読み出せば、情報取得と利用時間とをずらすことが可能となり、情報を再利用し高速化することもできる。
【００２９】
画像色彩情報決定手段１３は、元画像色彩情報と画像時間値とから画像の画素単位の色彩情報である画像色彩情報を決定する手段である。決定した画像色彩情報は、表示画像色彩情報置換手段１４に受け渡される。
【００３０】
画像色彩情報決定手段１３は、決定した画像色彩情報を記憶する記憶装置を備えることができる。記憶する情報には、画像の識別情報を含むこともできる。
【００３１】
画像色彩情報決定手段１３は、元画像色彩情報と画像時間値とから画像色彩情報を決定するための処理手順や使用する画像時間値の種別を選択することもできる。
【００３２】
画像色彩情報のＲＧＢ値は、元画像色彩情報のＲＧＢ値と画像時間値の関数値として決定され、処理手順にはその関数を実装したものを含む。その関数は、画像時間値の変化に対して、ＲＧＢ値の少なくとも１つが段階的に変化する関数であり、時間の経過に伴う写真，印刷物などの退色を表現できる。
【００３３】
画素の色彩情報としてＹＵＶやＨＳＶなどのＲＧＢ以外の値を使用している場合も、表示装置に表示する直前のＲＧＢ値に変換された色彩情報に本発明を適用するか、画像の色彩情報をＲＧＢ値に変換し、本発明の適用後に元の色空間の値に逆変換することもできる。
【００３４】
本発明は、画素単位に色彩情報決定手段により色彩を変化させるので、画像の色彩情報が画素単位に規定されていれば、種々の画像または画像を含む情報に適用可能であり、アイコンや文字などのようなフォーマットに依存しない。また、絵画や写真の退色は、色素成分に依存しており、元の色彩から画素単位に色彩を変化させる方法が、全体として退色を表すことができる。
【００３５】
表示画像色彩情報置換手段１４は、画像色彩情報決定手段１３で決定された色彩情報により画像表示手段１５が表示時に参照する画像の画素単位の色彩情報である表示画像色彩情報を置換する手段である。色彩情報は画素単位に置換し、画素の位置情報は変更せず、色彩情報だけを置換する。置換に必要な画素の位置情報，色彩情報，画像の識別情報は、記憶装置から読み出すこともできる。
【００３６】
画像表示手段１５は、画素単位の色彩情報を用いて画像を表示する手段であればよい。本発明は、画面に表示される画像が決定した後、画像が画面に表示されるまでに利用される。画面に画像を表示する手段を持つ情報表示装置またはソフトウェアであれば、本発明を利用可能である。画面に画像または画像を含む情報を表示する画像表示ソフトウェアや検索システムにおいても、当然利用できる。
【００３７】
元画像がドロー画像であってもラスタ画像であっても、表示する画像の画素単位の色彩情報が決定されてから画面に表示されるまでの間に、本発明を利用できる。
【００３８】
一般に、写真や印刷物が日光に当たりまたは時間が経過すると色があせることを退色という。本来のセピア色は、モノクロ写真が日光に当たりまたは時間が経過し劣化または退色した色である。カラー写真であれば、全体が赤みを帯び、印刷物であれば、色が薄くなったりする。本発明では、退色を表現できる表示画像の画素ごとに色彩情報を決定する方法を用いて、画像の時間的特徴を写真や印刷物の時間的特徴と同様に視認できるようにする。
【００３９】
したがって、人間が写真，絵画，印刷物などの退色の度合いで時間の経過を判断するのと同様に、表示された画像の色彩から画像の時間的特徴をある程度の精度で瞬時に把握できる。
【００４０】
図２は、本発明による情報表示装置の一実施形態の内部構成を示すブロック図である。
【００４１】
本実施形態の情報表示装置は、入力装置２１と、表示装置２２と、中央処理装置２３と、主記憶装置２４と、補助記憶装置２５とからなる。補助記憶装置２５は、プログラム記憶部２６と、２７はデータ記憶部とを備えている。プログラム記憶部２６は、画像表示プログラム記憶部２６−１と、元画像色彩情報取得プログラム記憶部２６−２と、時間値取得プログラム記憶部２６−３と、画像色彩情報決定プログラム記憶部２６−４と、表示画像色彩情報置換プログラム記憶部２６−５とを含んでいる。データ記憶部２７は、表示画像データ記憶部２７−１と、元画像データ記憶部２７−２と、画像時間値記憶部２７−３と、取得時間種別記憶部２７−４と、色彩情報決定種別記憶部２７−５と、決定画像データ記憶部２７−６とを含んでいる。
【００４２】
情報表示装置としては、パーソナルコンピュータやＰＤＡ端末などを用いる。
【００４３】
入力装置２１は、表示する画像および画像を含む情報を選択したり、表示する条件を入力したりするキーボードやマウスなどである。ペン入力やタッチスクリーン入力手段を使用することもできる。
【００４４】
表示装置２２は、液晶表示装置やＣＲＴ表示装置である。
【００４５】
中央処理装置２３は、主記憶装置２４および入力装置２１，表示装置２２などの制御や演算を実行する。すなわち、補助記憶装置２５に記憶されたプログラムやデータを主記憶装置２４に記憶したり、各種の演算を実行したり、入力装置２１や表示装置２２との間でデータを効率的にやり取りできるようにする。
【００４６】
主記憶装置２４は、頻繁にアクセスするプログラムやデータを一時的に格納し、中央処理装置２３がそれらを高速に処理できるようにする。主記憶装置２４は、補助記憶装置２５に格納されたプログラムやデータを実行時に一時的に格納する。主記憶装置２４の記憶容量が十分に大きい場合は、プログラムやデータを常駐させてもよい。
【００４７】
補助記憶装置２５は、主記憶装置２４よりはアクセス速度は遅いが、大容量の記憶装置である。記憶媒体としては、ハードディスク，ＣＤ−Ｒ，Ｍ０，フロッピー(登録商標)ディスクなどを使用する。補助記憶装置２５には、プログラムを記憶するプログラム記憶部２６とデータを記憶するデータ記憶部２７とが存在する。
【００４８】
プログラム記憶部２６は、表示装置２２に画像を表示させるプログラムを記憶する画像表示プログラム記憶部２６−１と、元画像色彩情報を取得するプログラムを記憶する元画像情報取得プログラム記憶部２６−２と、画像または画像を含む情報の作成日時や更新日時などの画像時間値を取得するプログラムを記憶する時間値取得プログラム記憶部２６−３と、元画像色彩情報と画像時間値から画像色彩情報を決定するプログラムを記憶する画像色彩情報決定プログラム記憶部２６−４と、画像表示プログラムが表示時に参照する画像の画素単位の色彩情報を決定した画像色彩情報に置換するプログラムを記憶する表示画像色彩情報置換プログラム記憶部２６−５とを含んでいる。各プログラム記憶部２６−１〜２６−５のプログラムは、主記憶装置２４に格納して実行される。各プログラム記憶部２６−１〜２６−５は、補助記憶装置２５にある。しかし、主記憶装置２４の記憶容量が十分に大きい場合には、主記憶装置２４に常駐させてもよい。
【００４９】
データ記憶部２７は、画像表示プログラムが表示時に参照する画像のデータを記憶する表示画像データ記憶部２７−１と、元画像色彩情報取得プログラムが取得したデータを記憶する元画像データ記憶部２７−２と、時間値取得プログラムが取得した時間値を記憶する画像時間値記憶部２７−３と、時間値取得プログラムが取得する時間値の種別を記憶する取得時間種別記憶部２７−４と、画像色彩情報決定プログラムが複数の色彩情報の決定方法を提供する場合に表示画像がどの決定方法を用いるかを記憶する色彩情報決定種別記憶部２７−５と、画像色彩情報決定プログラムが決定した画像データを記憶する決定画像データ記憶部２７−６とを含んでいる。各データ記憶部は２７−１〜２７−６、補助記憶装置２５にある。しかし、主記憶装置２４の記憶容量が十分に大きい場合には、主記憶装置２４に常駐させてもよい。
【００５０】
画像表示プログラム記憶部２６−１に格納される画像表示プログラムは、画像を表示装置に表示するプログラムであり、画素単位の色彩情報と位置情報とをもとに画像を表示する。画像表示プログラムが画像を表示する際に参照する情報は、表示画像データ記憶部２７−１に格納される。
【００５１】
画像表示プログラムは、画像データとしてグラフィックを曲線や直線の方向や長さで表現するドロー画像を対象としていても、計算により画素単位の情報を取得して表示する画像表示プログラムであればよい。画素の色彩情報は、ＲＧＢ値またはＲＧＢ値に変換可能な値であればよい。
【００５２】
画像表示プログラムが参照する表示画像データ記憶部２７−１のデータの格納場所や格納方式は、画像表示プログラムに依存してもよい
元画像情報取得プログラム記憶部２６−２に格納される元画像色彩情報取得プログラムは、表示画像データ記憶部２７−１から画像の画素単位の色彩情報，位置情報，画像の識別情報を取得する。取得した画像の情報は、元画像データ記憶部２７−２に格納される。対象となる画像は、本発明を利用し色彩情報を変化させて表示する画像全てとなる。
【００５３】
時間値取得プログラム記憶部２６−３に格納される時間値取得プログラムは、画像および画像を含む情報の時間に関する値を取得する。対象となる画像は、本発明を利用し色彩情報を変化させて表示する画像全てとなる。取得した値は、画像時間値記憶部２７−３に記憶される。取得する値の種別は、取得時間種別記憶部２７−４に記憶されていてもよい。その場合、時間値取得プログラムは、それを参照して時間値を取得する。取得時間種別は、単数または複数のキー属性から一意に決定できるようにテーブルデータとして記憶できるし、プログラム内に条件分岐として全て記述することもできる。
【００５４】
図３は、画像時間値記憶部２７−３に記憶される画像の時間値の例である。
【００５５】
取得時間値テーブル３１は、取得した画像ファイルの時間値をテーブル形式に格納するテーブルであり、画像を一意に識別する画像識別子３１−１と、ファイル名などの画像名３１−２と、画像ファイルの作成日時３１−３と、画像ファイルの更新日時３１−４と、画像ファイルのアクセス日時３１−５とからなる。
【００５６】
取得時間値テーブル３２は、画像ファイルそのものではなく、画像表示操作に関する時間値を取得するテーブルであり、画像識別子３２−１と、画像名３２−２と、画像の表示開始日時３２−３と、画像の前回表示日時３２−４とからなる。
【００５７】
これらの値は、画像ファイル自体や画像の表示処理に関して記憶装置２４，２５に記憶されている値から取得する。
【００５８】
図４は、画像時間値記憶部２７−３に記憶される画像を含む情報の時間値の例である。
【００５９】
取得時間値テーブル４１は、取得した画像を含む情報の時間値をテーブル形式に格納するテーブルであり、情報を一意に識別する情報識別子４１−１と、情報の名称などの情報名４１−２と、情報の作成日時４１−３と、情報の更新日時４１−４と、情報のアクセス日時４１−５とからなる。
【００６０】
取得時間値テーブル４２は、情報そのものではなく、情報表示操作に関する時間値を取得するテーブルであり、情報識別子４２−１と、情報名４２−２と、情報の表示開始日時４２−３と、情報の前回表示日時４２−４とからなる。
【００６１】
これらの値は、情報自体や情報の表示処理に関して記憶装置２４，２５に記憶されている値から取得する。
【００６２】
本発明で取得する他の時間値としては、現在時刻として利用するシステム時刻や他の予め設定された日時などの基準日時がある。
【００６３】
画像色彩情報決定プログラム記憶部２６−４に格納される画像色彩情報決定プログラムは、取得した画像時間値と元画像色彩情報とから、画面表示時の画像の色彩情報を決定する。決定に使用する画像時間値は、画像時間値記憶部２７−３から参照する。色彩情報の決定処理手順が複数用意されている場合は、処理手順と決定に使用する時間値の種別とを色彩情報決定種別記憶部２７−５から取得する。
【００６４】
これらの種別は、画像色彩情報決定プログラム２６−４から参照される定数の値として格納することもできるし、単数または複数のキー属性から一意に決定できるようにテーブルデータとして記憶することもできる。プログラム内に条件分岐として全て記述してもよい。
【００６５】
画像色彩情報決定プログラムは、色彩情報を画素単位に決定し、処理対象である全ての画素の色彩情報を決定し、処理を終了する。色彩情報の決定処理に関するプログラムは、入力ＲＧＢ値の初期値と時間値に対して出力ＲＧＢ値を一意に決定する関数を定義した処理手順である。
【００６６】
入力色彩情報がＲＧＢ値でない場合は、ＲＧＢ値に変換して処理し、出力として必要とされる色彩情報がＲＧＢ値でない場合は、ＲＧＢ値から元の色空間の値に逆変換して出力する。
【００６７】
図５は、画像表示時の時間値の変化に対する色彩情報の変化を表す例である。
【００６８】
図５(ａ)は、写真，絵画，印刷物の色が時間の経過とともに薄れていく退色への人間の経験的な感覚に合わせた表示画像の色彩情報の変化例である。画像５１のうちで、画像５１−１〜５１〜３は、同じ色彩の画像であり、色彩情報の画像５１−１が一番新しく画像５１−３が一番古い画像とする。
【００６９】
実現方法としては、取得した時間値と現在日時や基準日時との時間差が増加するに従い、画素の色彩情報のＲＧＢ値をそれらの比率を保ちながら増加させるなどの方法がある。
【００７０】
図５(ｂ)は、写真，絵画，印刷物の色が時間の経過とともに全体としては薄れていく中で、特定の色の要素が強くなっていく人間の経験的な感覚に合わせた表示画像の色彩情報の変化例である。画像５１−４〜５１−６は、同じ色彩の画像であり、画像５１−４が一番新しく画像５１−６が一番古い画像とする。
【００７１】
実現方法としては、作成日時や更新日時などと現在日時や基準日時との時間差が増加するに従い、画素の色彩情報のうちＲＧＢ値を異なる変化率で上げるまたは下げるなどの方法がある。
【００７２】
図６は、画像色彩情報決定プログラムが決定する画素の色彩情報において、時間値の変化に対するＲＧＢ値の変化例を示すグラフである。
【００７３】
軸６１は、ＲＧＢ値を示し、軸６２は、色彩情報の決定に用いる時間値を示す。ＲＧＢ値の各最大値は２５５である。ＲＧＢ値は、(ａ)および(ｂ)においては、時間値の変化に対し直線的に変化し、(ｃ)および(ｄ)においては、曲線的に変化し、(ｅ)および(ｆ)においては、不連続に変化する。全てのグラフにおいて、ＲＧＢ値は時間値の関数になっており、しかも、時間の経過に対する退色を表現するため単調に減少または増加する関数となる。
【００７４】
人間が経験的に時間の経過を認識する代表的な色彩情報の変化例としては、モノクロ写真のセピア化がある。セピア色の厳密な定義はない。しかし、ＲＧＢ値においてＲＧＢの順に大きい値を設定すると実現でき、一般的なＲＧＢの数値比率は、７：６：４程度である。モノクロ画像のセピア化表示は、画像色彩情報決定プログラムが決定する画素の色彩情報において、時間値の増加に対して画像の各画素のＲＧＢ値をＲ，Ｇ，Ｂの順に大きな割合で増加させると実現できる。
【００７５】
図７は、モノクロ画像のセピア化表示を実現する場合の時間値の変化に対する画素のＲＧＢ値の変化例を示すグラフである。
【００７６】
図７では、画素のＲＧＢ値を時間値に対し７：６：４の割合で変化させており、(ａ)では、処理前の値に関係なく、ＲＧＢ値をそれぞれ所定の増加率で増加させている。(ｂ)では、処理前の初期値の大きさに従い、ＲＧＢ値の増加率を変えている。モノクロ画像の各画素において、ＲＧＢ各値(０〜２５５)は同じ値であり、それぞれをＲ，Ｇ，Ｂとすると、グラフでは色彩が黒(Ｒ＝Ｇ＝Ｂ＝０)と灰色(Ｒ＝Ｇ＝Ｂ＝１２８)である画素の時間値の変化に対するＲＧＢ値を例として示している。
【００７７】
カラー画像に対し、モノクロ化する前処理を先に実行し、セピア化表示することもできる。カラーの画像をモノクロ化するには、各画素のＲＧＢ値をそれらの平均値｛(Ｒ＋Ｇ＋Ｂ)÷３｝に統一する方法がある。または、ＲＧＢ値を、人間が緑，赤，青の順に敏感に反応する特性を考慮した輝度Ｙ＝０.２９９×Ｒ＋０.５８７×Ｇ＋０.１１４×Ｂに統一するなどの方法がある。
【００７８】
カラー画像をセピア化し表示することもできる。その場合も、時間値の増加に対し各画素のＲＧＢ値を図７のように変化させる。(ａ)のように増加率が一定であると、ＲＧＢの初期値によってはいくら時間が経過してもＲ＞Ｇ＞Ｂにならない場合があることを考慮して、(ｂ)のように初期値が大きくなるほど増加率を小さくすることもできる。
【００７９】
退色は、材料の性質および現像処理方法や湿度・光・非酸素などの保存状態にもよる。カラー写真は、時間の経過とともに退色して色が薄くなるとともに、赤，緑，青いずれかの色みを帯びる傾向がある。一般に湿度の高い状態で保存されると青みを帯び、光にさらされた状態で保存されると緑みを帯び、酸素の少ない状態で保存されると赤みを帯びる。
【００８０】
カラー画像についてこれらの退色を表現する場合は、対応するＲＧＢ値の時間値に対する増加率を最も大きくする。例えば、アルバムなどに長時間保存したカラー写真は酸素不足から赤みを帯びる傾向があり、その退色を表現する場合には時間値に対するＲの値の増加率を最も大きくする。
【００８１】
絵画や印刷物においては、退色傾向が顔料の原料，インクの耐光性，保存状態により多様である。絵画や印刷物は、時間の経過とともに退色し、色が薄くなる。画像の薄色化表示は、画像色彩情報決定プログラム２６−４が決定する画素の色彩情報において、時間値の増加に対し画像の各画素のＲＧＢ値を白(Ｒ＝Ｇ＝Ｂ＝２５５)に近づくように増加させると実現できる。
【００８２】
図８は、画像の色彩の薄色化表示を実現する場合の時間値の変化に対する画素のＲＧＢ値の変化例を示すグラフである。
【００８３】
同じ初期値に対するＲＧＢ値の増加率は同じとし、初期値が０と１２８である場合の例を示している。(ａ)では、処理前の値に関係なく、ＲＧＢ値画像色彩情報それぞれ所定の増加率で増加し、(ｂ)および(ｃ)では、処理前の初期値の大きさに従い、ＲＧＢ値の増加率が変わる。(ｂ)は、色彩がモノクロに近づく変化例であり、(ｃ)は、色彩の明るさを上げて白に近づく変化例である。
【００８４】
表示画像色彩情報置換プログラム記憶部２６−５に格納される表示画像色彩情報置換プログラムは、表示画像データ記憶部２７−１に格納した画像の色彩情報を画像色彩情報決定プログラムが決定した色彩情報に置換する。
【００８５】
図９は、画像色彩情報置換プログラムによる画像の色彩情報の置換方法を示す模式図である。
【００８６】
色彩情報の置換は、画素単位に実行し、画素の位置情報は変更せず、色彩情報だけを置換する。画像５１−７は、色彩情報の置換前の画像であり、画像５１−８は、色彩情報の置換後の画像である。９１は画素９１のうち、画素９１−４は画素９１−１と画像上で同じ位置にあり、画素９１−１の色彩情報を入力として決定した色彩情報に置換される。画素９１−５と画素９１−２との関係および画素９１−６と画素９１−３との関係も同様である。
【００８７】
画像色彩情報置換プログラムは、表示する全ての画像の処理が終了すると、画像表示プログラムに通知し、画像の表示を開始させることもできる。
【００８８】
図１０は、本発明の情報表示装置における全体の処理手順を示すフローチャートである。
【００８９】
ステップＳ１は表示画像決定処理、ステップＳ２は元画像色彩情報取得処理、ステップＳ３は画像時間値取得処理、ステップＳ４は基準日時があるかの判断処理、ステップＳ５は画像時間値と基準日時の差の絶対値で画像時間値を置換する処理、ステップＳ６は画素色彩情報決定処理、ステップＳ７は全画素の処理が終了したかの判断処理、ステップＳ８は全画像の処理が終了したかの判断処理、ステップＳ９は表示画像色彩情報置換処理、ステップＳ１０は画像表示処理である。
【００９０】
ステップＳ１において、画面に表示する画像が決定する。画像を表示する際に画像表示処理Ｓ１０に必要となる画像の情報は、表示画像データ記憶部２７−１に格納されている。
【００９１】
以下のステップＳ２〜ステップＳ７の処理は、１つの画像単位でしてもよく、複数単位または全部の画像の処理をまとめていってもよい。処理をまとめて実行する場合は、元画像色彩情報および画像時間値は、対応する画像の識別情報とともに格納する。処理は未処理である画像に対して実行される。
【００９２】
ステップＳ２では、表示画像データ記憶部２７−１に格納された画像の情報のうち、画像の識別情報および全画素の色彩情報と位置情報とを取得し、画像色彩情報決定プログラムが参照可能な形式で、元画像データ記憶部２７−２に格納する。
【００９３】
ステップＳ３では、ステップＳ２で対象となった画像またはその画像を含む情報に関する画像時間値，基準日時，画像の識別情報を取得し、画像色彩情報決定プログラムが参照可能な形式で、画像時間値記憶部２７−３に格納する。取得する時間値および基準日時の種別は、取得時間種別記憶部２７−４または時間値取得プログラム内で指定されており、例えば、現在日時、図３の取得時間値テーブル３１，３２、図４の取得時間値テーブル４１，４２にある日時などである。基準日時は、必要であれば取得する。
【００９４】
ステップＳ４では、画像時間値記憶部２７−３に格納した時間値に対する基準日時があるかどうかを判定している。基準日時がある場合は、ステップＳ５の処理を実行し、基準日時がない場合は、ステップＳ６の処理を実行する。
【００９５】
ステップＳ５では、画像時間値記憶部２７−３に格納した画像時間値に、基準日時と画像時間値との差の絶対値を代入する。
【００９６】
ステップＳ６では、元画像データ記憶部２７−２に格納した画像の色彩情報と画像時間値記憶部２７−３に格納した画像時間値とを入力として、表示する画像の色彩情報を決定する。複数の処理手順と時間値とが用意されている場合は、処理手順と時間値とを色彩情報決定種別記憶部２７−５から取得する。画素単位に処理し、位置情報をもとに画素を識別し、未処理である画素について順次処理する。決定した画像の色彩情報は、対応する画像の識別情報と関連付け、決定画像データ記憶部２７−６に格納する。
【００９７】
ステップＳ７では、画像の全画素の処理を終了したか否かを判定する。終了した場合は、ステップＳ８に進み、終了していない場合は、ステップＳ６の処理に戻り、未処理画素について順次処理する。
【００９８】
ステップＳ８では、対象となる全画像の処理を終了したか否かを判定する。終了した場合は、ステップＳ９に進み、終了していない場合は、ステップＳ２〜ステップＳ７の処理に戻り、未処理画像について順次処理する。
【００９９】
ステップＳ９では、画像の識別情報をもとに、元画像データ記憶部２７−２に格納された画像の表示時の色彩情報により、表示画像データ記憶部２７−１にある画像の色彩情報を置換する。同じ位置情報を持つ画素間で色彩情報を置換する。この段階で処理終了を通知し、ステップ１０の処理を開始させることもできる。
【０１００】
ステップＳ１０では、表示装置の画面に画像を表示する。画素単位の色彩情報をもとに画像を表示させる処理であればよく、表示処理方法には依存しない。
【０１０１】
次に、本発明による時間的特徴の視覚的表示方法により、色彩情報を変化させて画像を表示する具体的実施例を説明する。
【実施例１】
【０１０２】
実施例１は、画像ファイルに関する時間値に従い、画像の色彩を変更して表示する例である。
【０１０３】
図１１は、パーソナルコンピュータのディスプレイ装置に表示された画面の一例を示す図である。
【０１０４】
表示画面１１１では、本発明を適用した画像表示ソフトウェアにより色彩を変更した画像５１−９を表示している。表示画面１１１には、複数のサムネイル画像を表示でき、表示対象となる画像を１画面に表示できない場合は、スクロールバー１１１−１で画面をスクロールし、複数頁がある場合は、前ページボタン１１１−２や次ページボタン１１１−３で表示頁を変更する。サムネイル化された画像をクリックすると、画像を拡大表示できる。
【０１０５】
メニューバーから退色表示メニュー１１１−４を選択するか、退色表示ボタン１１１−５をクリックすると、画像の色彩が変更して表示される。画像の色彩の変化方法を設定するには、メニューバーから退色表示の設定メニュー１１１−６を選択し、表示画面１１２を表示する。
【０１０６】
表示画面１１２では、時間種別プルダウンメニュー１１２−１で取得する画像時間値の種別を選択できる。選択できる取得時間種別には、ファイル作成日時，更新日時，アクセス日時，表示開始日時，前回表示日時などがある。
【０１０７】
表示画面１１２では、退色種別プルダウンメニュー１１２−２で色彩情報の決定種別を選択できる。選択できる色彩情報決定種別には、セピア化，薄色化，赤色化，緑色化，青色化などがある。
【０１０８】
表示画面１１２では、基準日時チェックボックス１１２−３で基準日時の有無を選択できる。ありにチェックした場合は、基準日時プルダウンメニューで基準日時を選択できる。選択できる基準日時には、現在日時，ユーザ設定日時などがある。ユーザ設定日時を選択すると、ユーザ設定日時テキストボックス１１２−５が活性化され、日時を設定できる。
【０１０９】
表示画面１１２では、取得時間種別に表示開始日時などを選択した場合のために、画面の更新チェックボックス１１２−６で、周期的な画面の更新の有無を選択できる。自動的に更新するにチェックした場合は、更新周期を設定できる。
【０１１０】
本実施例１は、画像ソフトウェアであるビューアソフトウェア，アルバムソフトウェア，レタッチソフトウェアなどに適用でき、画像ソフトウェアの操作により表示する画像が決定した後、画像を表示するまでの間に本発明を適用できる。表示された画像の時間的情報を瞬時に判断したり、一覧表示された画像から特定の時間的特徴を持つ画像を選択し、詳細表示画面を表示したり、画像編集操作をすることができる。
【実施例２】
【０１１１】
実施例２は、画像を含む情報に関する時間値に従い、画像の色彩を変更して表示する場合の例である。
【０１１２】
図１２は、クライアント／サーバ型画像検索システムにおけるクライアントであるパーソナルコンピュータのディスプレイ装置に表示された画面の一例を示す図である。
【０１１３】
サーバでは、Ｗｅｂサーバソフトウェアとデータベースソフトウェアとが動作しており、HTTPプロトコルによる通信により、クライアントの要求に応じてサーバ側で検索し、検索結果をクライアントに応答する。クライアントでは、ブラウザにより応答結果が画面に表示される。
【０１１４】
表示画面１２１は、本発明を適用したブラウザソフトウェアにより色彩を変更された画像５１−１０と画像に関する情報１２１−１とを表示している。表示画面１２１には複数のサムネイル画像を表示でき、表示対象となる画像を１画面に表示できない場合は、実施例１と同様に、スクロールバー，前ページボタン，次ページボタンで表示画像を変更できる。サムネイル化された画像をクリックすると、拡大した画像と詳細な情報とを参照できる。
【０１１５】
表示画面１２１では、検索条件１２１−２のテキストボックスやプルダウンメニューに検索条件を入力でき、検索ボタン１２１−３をクリックすると、条件に合致した検索結果が画面に表示される。クリアボタンをクリックし、入力した検索条件を初期値に戻すこともできる。メニューバーから退色表示メニュー１２１−５を選択するか、退色表示ボタン１２１−６をクリックすると、画像の色彩が変更表示される。
【０１１６】
画像の色彩の変化方法を設定する場合には、メニューバーから退色表示の設定メニュー１２１−７を選択し、実施例１と同様に、表示画面１２１において設定する。選択できる取得時間種別には画像だけでなく、検索結果に含まれる情報の作成日時，更新日時，アクセス日時，表示開始日時，前回表示日時なども設定できる。設定された情報は、クライアント側のブラウザソフトウェアに反映される。
【０１１７】
本実施例２は、画像を含む医科学情報や文献情報の検索システムなどにも適用でき、検索システムの操作により表示する情報と画像とが決定した後、画像を表示するまでの間に本発明を適用できる。表示された情報の時間的情報を瞬時に判断したり、一覧表示された情報から特定の時間的特徴を持つ情報を瞬時に探し出し、内容を参照したり詳細を表示できる。
【０１１８】
また、料理や商品の注文システムにも適用でき、過去の注文日時を取得し、その日時から現在日時までの経過時間に従い、商品画像の色彩を変更して表示できる。その結果、各商品の処理待ち状態にある時間を瞬時に認識し、優先度に応じて次にすべき処理を判断できる。
【図面の簡単な説明】
【０１１９】
【図１】本発明による情報表示装置の原理的構成を示すブロック図である。
【図２】本発明による情報表示装置の一実施形態の内部構成を示すブロック図である。
【図３】画像時間値記憶部２７−３に記憶される画像の時間値の例である。
【図４】画像時間値記憶部２７−３に記憶される画像を含む情報の時間値の例である。
【図５】画像表示時の時間値の変化に対する色彩情報の変化を表す例である。
【図６】画像色彩情報決定プログラムが決定する画素の色彩情報において、時間値の変化に対するＲＧＢ値の変化例を示すグラフである。
【図７】モノクロ画像のセピア化表示を実現する場合の時間値の変化に対する画素のＲＧＢ値の変化例を示すグラフである。
【図８】画像の薄色化表示を実現する場合の時間値の変化に対する画素のＲＧＢ値の変化例を示すグラフである。
【図９】画像色彩情報置換プログラムによる画像の色彩情報の置換方法を示す模式図である。
【図１０】本発明の情報表示装置における全体の処理手順を示すフローチャートである。
【図１１】パーソナルコンピュータのディスプレイ装置に表示された画面の一例を示す図である。
【図１２】クライアント／サーバ型画像検索システムにおけるクライアントであるパーソナルコンピュータのディスプレイ装置に表示された画面の一例を示す図である。
【符号の説明】
【０１２０】
１１  元画像色彩情報取得手段
１２  画像時間値取得手段
１３  画像色彩情報決定手段
１４  表示画像色彩情報置換手段
１５  画像表示手段
２１  入力装置
２２  表示装置
２３  中央処理装置
２４  主記憶装置
２５  補助記憶装置
２６  プログラム記憶部
２７  データ記憶部
５１  画像
９１  画素
【図１】
2006134056.tif 000003
【図２】
2006134056.tif 000004
【図３】
2006134056.tif 000005
【図４】
2006134056.tif 000006
【図５】
2006134056.tif 000007
【図６】
2006134056.tif 000008
【図７】
2006134056.tif 000009
【図８】
2006134056.tif 000010
【図９】
2006134056.tif 000011
【図１０】
2006134056.tif 000012
【図１１】
2006134056.tif 000013
【図１２】
2006134056.tif 000014